(57)【特許請求の範囲】
【請求項１】
筐体と、
前記筐体から引き出し可能となっており、貨幣を収納する上部収納部と、
前記上部収納部から送られた貨幣を収納する下部収納部と、
前記筐体に収容されたときの前記上部収納部と前記下部収納部との間において位置固定で設けられ、前記上部収納部から前記下部収納部に貨幣を案内する位置固定案内部と、
前記上部収納部が前記筐体に収容されたときに前記上部収納部と前記位置固定案内部との間の隙間を詰める隙間調整機構と、
を備え、
前記隙間調整機構は、前記位置固定案内部に移動可能に設けられ、前記上部収納部側に向かって付勢される第１の可動案内部を有しており、
前記上部収納部が前記筐体に収容される際に前記第１の可動案内部は前記上部収納部側への付勢力に抗して下方に押し下げられるようになっている、貨幣処理装置。
【請求項２】
筐体と、
貨幣を収納する上部収納部と、
前記筐体から引き出し可能となっており、前記上部収納部から送られた貨幣を収納する下部収納部と、
前記筐体に収容されたときの前記下部収納部と前記上記収納部との間において位置固定で設けられ、前記上部収納部から前記下部収納部に貨幣を案内する位置固定案内部と、
前記下部収納部が前記筐体に収容されたときに前記下部収納部と前記位置固定案内部との間の隙間を詰める隙間調整機構と、
を備え、
前記隙間調整機構は、前記位置固定案内部に移動可能に設けられ、前記下部収納部側に向かって付勢される第２の可動案内部を有しており、
前記下部収納部が前記筐体に収容される際に前記第２の可動案内部は前記下部収納部側への付勢力に抗して上方に押し上げられるようになっている、貨幣処理装置。
【請求項３】
筐体と、
前記筐体から引き出し可能となっており、貨幣を収納する上部収納部と、
前記筐体から引き出し可能となっており、前記上部収納部から送られた貨幣を収納する下部収納部と、
前記筐体に収容されたときの前記上部収納部と前記下部収納部との間において位置固定で設けられ、前記上部収納部から前記下部収納部に貨幣を案内する位置固定案内部と、
前記上部収納部および前記下部収納部がそれぞれ前記筐体に収容されたときに前記上部収納部と前記位置固定案内部との間の隙間および前記下部収納部と前記位置固定案内部との間の隙間をそれぞれ詰める隙間調整機構と、
を備え、
前記隙間調整機構は、前記位置固定案内部に移動可能に設けられ、前記上部収納部側に向かって付勢される第１の可動案内部と、前記第１の可動案内部よりも下方位置において前記位置固定案内部に移動可能に設けられ、前記下部収納部側に向かって付勢される第２の可動案内部とを有しており、
前記上部収納部が前記筐体に収容される際に前記第１の可動案内部は前記上部収納部側への付勢力に抗して下方に押し下げられ、
前記下部収納部が前記筐体に収容される際に前記第２の可動案内部は前記下部収納部側への付勢力に抗して上方に押し上げられるようになっている、貨幣処理装置。
【請求項４】
前記第１の可動案内部の下縁および前記第２の可動案内部の上縁は、前記上部収納部および前記下部収納部がそれぞれ前記筐体に収容されて前記第１の可動案内部が下方に押し下げられるとともに前記第２の可動案内部が上方に押し上げられたときに互いに入り組み合うような形状となっている、請求項３記載の貨幣処理装置。
【請求項５】
前記第１の可動案内部の下縁および前記第２の可動案内部の上縁のうち少なくとも一方は櫛歯形状となっている、請求項４記載の貨幣処理装置。
【請求項６】
前記上部収納部および前記下部収納部はそれぞれ複数の領域に区分けされており、
前記第１の可動案内部は、前記上部収納部の各領域に対応して第１の仕切部材により複数の領域に区分けされており、
前記第２の可動案内部は、前記下部収納部の各領域に対応して第２の仕切部材により複数の領域に区分けされている、請求項３乃至５のいずれか一項に記載の貨幣処理装置。
【請求項７】
前記第１の仕切部材の下縁および前記第２の仕切部材の上縁は、前記上部収納部および前記下部収納部がそれぞれ前記筐体に収容されて前記第１の可動案内部が下方に押し下げられるとともに前記第２の可動案内部が上方に押し上げられたときに互いに入り組み合うような形状となっている、請求項６記載の貨幣処理装置。
【請求項８】
前記第１の仕切部材の下縁および前記第２の仕切部材の上縁のうち少なくとも一方は櫛歯形状となっている、請求項７記載の貨幣処理装置。
【請求項９】
筐体と、
前記筐体から引き出し可能となっており、貨幣を収納する上部収納部と、
前記筐体から引き出し可能となっており、前記上部収納部から送られた貨幣を収納する下部収納部と、
前記筐体に収容されたときの前記上部収納部と前記下部収納部との間において位置固定で設けられ、前記上部収納部から前記下部収納部に貨幣を案内する位置固定案内部と、
前記上部収納部および前記下部収納部がそれぞれ前記筐体に収容されたときに前記上部収納部と前記位置固定案内部との間の隙間および前記下部収納部と前記位置固定案内部との間の隙間をそれぞれ詰める隙間調整機構と、
を備え、
前記隙間調整機構は、前記上部収納部の下部に移動可能に設けられ、前記位置固定案内部側に向かって付勢される第３の可動案内部と、前記下部収納部の上部に移動可能に設けられ、前記位置固定案内部側に向かって付勢される第４の可動案内部とを有しており、
前記上部収納部が前記筐体に収容される際に前記第３の可動案内部は前記位置固定案内部側への付勢力に抗して上方に押し上げられ、
前記下部収納部が前記筐体に収容される際に前記第４の可動案内部は前記位置固定案内部側への付勢力に抗して下方に押し下げられるようになっている、貨幣処理装置。
【発明の詳細な説明】
【技術分野】
【０００１】
本発明は、硬貨や紙幣等の貨幣の処理を行う貨幣処理装置に関する。
【背景技術】
【０００２】
従来から、金融機関の出納業務等に利用され、入金した硬貨を金種別に選別し、選別した硬貨を、硬貨の収納および繰り出しが可能な金種別の収納繰出部か、硬貨を回収する金種別の金箱に収納するようにした硬貨処理装置が知られている（例えば、特許文献１等参照）。
【０００３】
このような硬貨処理装置では、金箱からは硬貨を繰り出すことができないため、金箱を予め台車に搭載した後に台車ごと金箱を硬貨処理装置の筐体内に収容し、いずれかの金種の金箱で硬貨が満杯となれば、金箱が搭載された台車を硬貨処理装置の筐体から引き出すことによりこの台車を所定の場所に移動させて金箱の回収作業を行っている。
【先行技術文献】
【特許文献】
【０００４】
【特許文献１】特許第４１４５５２１号公報
【発明の概要】
【発明が解決しようとする課題】
【０００５】
上述した硬貨処理装置では、入金した硬貨を金種別に選別し、選別した硬貨を一時保留部に一時的に保留し、一時保留部から硬貨を金種別の収納繰出部または金種別の金箱に送るようにしているが、一時保留部の下縁と金箱の上縁との間の隙間が大きい場合には、この隙間に硬貨が挟まってしまったり当該隙間から硬貨が金箱外に飛び出してしまったりするおそれがあるため、当該隙間をできるだけ詰めることが求められている。しかしながら、金箱は台車に搭載された状態で硬貨処理装置の筐体内に収容されるため、台車の車輪（キャスター）が接地する床面の状態によって一時保留部の下縁と金箱の上縁との間の隙間の大きさが変化してしまう。このため、従来では、台車のキャスター取付部にスペーサを挟むことにより一時保留部の下縁と金箱の上縁との間の隙間の大きさを調整していたが、このような調整は手間や時間がかかり、また、一時保留部の下縁と金箱の上縁との間の隙間を十分に詰めることができず当該隙間に硬貨が挟まってしまったりこの隙間から硬貨が金箱外に飛び出してしまったりすることを完全に防止することができないという問題があった。
【０００６】
本発明は、このような点を考慮してなされたものであり、上部収納部の下縁と下部収納部の上縁との間の隙間を詰める際の作業負担を軽減しながら、上部収納部から下部収納部に貨幣が送られる際に上部収納部の下縁と下部収納部の上縁との間の隙間に貨幣が挟まってしまったりこの隙間から貨幣が外部に飛び出してしまったりすることを十分に防止することができる貨幣処理装置を提供することを目的とする。
【課題を解決するための手段】
【０００９】
本発明の貨幣処理装置は、筐体と、前記筐体から引き出し可能となっており、貨幣を収納する上部収納部と、前記上部収納部から送られた貨幣を収納する下部収納部と、前記筐体に収容されたときの前記上部収納部と前記下部収納部との間において位置固定で設けられ、前記上部収納部から前記下部収納部に貨幣を案内する位置固定案内部と、前記上部収納部が前記筐体に収容されたときに前記上部収納部と前記位置固定案内部との間の隙間を詰める隙間調整機構と、を備え、前記隙間調整機構は、前記位置固定案内部に移動可能に設けられ、前記上部収納部側に向かって付勢される第１の可動案内部を有しており、前記上部収納部が前記筐体に収容される際に前記第１の可動案内部は前記上部収納部側への付勢力に抗して下方に押し下げられるようになっていることを特徴とする。
また、本発明の貨幣処理装置は、筐体と、貨幣を収納する上部収納部と、前記筐体から引き出し可能となっており、前記上部収納部から送られた貨幣を収納する下部収納部と、前記筐体に収容されたときの前記下部収納部と前記上記収納部との間において位置固定で設けられ、前記上部収納部から前記下部収納部に貨幣を案内する位置固定案内部と、前記下部収納部が前記筐体に収容されたときに前記下部収納部と前記位置固定案内部との間の隙間を詰める隙間調整機構と、を備え、前記隙間調整機構は、前記位置固定案内部に移動可能に設けられ、前記下部収納部側に向かって付勢される第２の可動案内部を有しており、前記下部収納部が前記筐体に収容される際に前記第２の可動案内部は前記下部収納部側への付勢力に抗して上方に押し上げられるようになっていることを特徴とする。
また、本発明の貨幣処理装置は、筐体と、前記筐体から引き出し可能となっており、貨幣を収納する上部収納部と、前記筐体から引き出し可能となっており、前記上部収納部から送られた貨幣を収納する下部収納部と、前記筐体に収容されたときの前記上部収納部と前記下部収納部との間において位置固定で設けられ、前記上部収納部から前記下部収納部に貨幣を案内する位置固定案内部と、前記上部収納部および前記下部収納部がそれぞれ前記筐体に収容されたときに前記上部収納部と前記位置固定案内部との間の隙間および前記下部収納部と前記位置固定案内部との間の隙間をそれぞれ詰める隙間調整機構と、を備え、前記隙間調整機構は、前記位置固定案内部に移動可能に設けられ、前記上部収納部側に向かって付勢される第１の可動案内部と、前記第１の可動案内部よりも下方位置において前記位置固定案内部に移動可能に設けられ、前記下部収納部側に向かって付勢される第２の可動案内部とを有しており、前記上部収納部が前記筐体に収容される際に前記第１の可動案内部は前記上部収納部側への付勢力に抗して下方に押し下げられ、前記下部収納部が前記筐体に収容される際に前記第２の可動案内部は前記下部収納部側への付勢力に抗して上方に押し上げられるようになっていることを特徴とする。
【００１２】
この際に、前記第１の可動案内部の下縁および前記第２の可動案内部の上縁は、前記上部収納部および前記下部収納部がそれぞれ前記筐体に収容されて前記第１の可動案内部が下方に押し下げられるとともに前記第２の可動案内部が上方に押し上げられたときに互いに入り組み合うような形状となっていてもよい。
【００１３】
この場合、前記第１の可動案内部の下縁および前記第２の可動案内部の上縁のうち少なくとも一方は櫛歯形状となっていてもよい。
【００１４】
また、前記上部収納部および前記下部収納部はそれぞれ複数の領域に区分けされており、前記第１の可動案内部は、前記上部収納部の各領域に対応して第１の仕切部材により複数の領域に区分けされており、前記第２の可動案内部は、前記下部収納部の各領域に対応して第２の仕切部材により複数の領域に区分けされていてもよい。
【００１５】
この際に、前記第１の仕切部材の下縁および前記第２の仕切部材の上縁は、前記上部収納部および前記下部収納部がそれぞれ前記筐体に収容されて前記第１の可動案内部が下方に押し下げられるとともに前記第２の可動案内部が上方に押し上げられたときに互いに入り組み合うような形状となっていてもよい。
【００１６】
この場合、前記第１の仕切部材の下縁および前記第２の仕切部材の上縁のうち少なくとも一方は櫛歯形状となっていてもよい。
【００１７】
本発明の貨幣処理装置は、筐体と、前記筐体から引き出し可能となっており、貨幣を収納する上部収納部と、前記筐体から引き出し可能となっており、前記上部収納部から送られた貨幣を収納する下部収納部と、前記筐体に収容されたときの前記上部収納部と前記下部収納部との間において位置固定で設けられ、前記上部収納部から前記下部収納部に貨幣を案内する位置固定案内部と、前記上部収納部および前記下部収納部がそれぞれ前記筐体に収容されたときに前記上部収納部と前記位置固定案内部との間の隙間および前記下部収納部と前記位置固定案内部との間の隙間をそれぞれ詰める隙間調整機構と、を備え、前記隙間調整機構は、前記上部収納部の下部に移動可能に設けられ、前記位置固定案内部側に向かって付勢される第３の可動案内部と、前記下部収納部の上部に移動可能に設けられ、前記位置固定案内部側に向かって付勢される第４の可動案内部とを有しており、前記上部収納部が前記筐体に収容される際に前記第３の可動案内部は前記位置固定案内部側への付勢力に抗して上方に押し上げられ、前記下部収納部が前記筐体に収容される際に前記第４の可動案内部は前記位置固定案内部側への付勢力に抗して下方に押し下げられるようになっていることを特徴とする。
【図面の簡単な説明】
【００３１】
【図１】本発明の実施の形態による硬貨処理装置の外観を示す斜視図である。
【図２】図１に示す硬貨処理装置において入金処理が行われる際に用いられる各構成部材に係る内部構成を示す構成図である。
【図３】図１に示す硬貨処理装置において出金処理が行われる際に用いられる各構成部材に係る内部構成を示す構成図である。
【図４】図１に示す硬貨処理装置から筐体を取り除いたときの内部構成を示す斜視図である。
【図５】図１に示す硬貨処理装置から筐体を取り除いたときの内部構成を示す正面図である。
【図６】図１に示す硬貨処理装置から筐体を取り除いたときの内部構成を示す左側面図である。
【図７】図１に示す硬貨処理装置における位置固定案内部、第１の可動案内部および第２の可動案内部の構成を示す分解斜視図である。
【図８】図７に示す位置固定案内部、第１の可動案内部および第２の可動案内部を側方から見たときの構成の一部を示す縦断面図である。
【図９】図８において参照符号Ｒで示される領域を拡大して示す拡大縦断面図である。
【図１０】図８に示す位置固定案内部、第１の可動案内部および第２の可動案内部の前部側の構成の一部を拡大して示す図である。
【図１１】図７に示す位置固定案内部、第１の可動案内部および第２の可動案内部を手前側から見たときの構成を示す縦断面図である。
【図１２】従来技術において台車が硬貨処理装置の筐体に収容されたときの状態を上方から見たときの構成を模式的に示す概略構成図である。
【図１３】図１に示す硬貨処理装置において用いられる台車を上方から見たときの位置固定車輪や位置可変車輪等の位置を模式的に示す概略構成図である。
【図１４】図１に示す硬貨処理装置の筐体における台車が収容されるべき収容領域の構成を模式的に示す概略構成図である。
【図１５】図１に示す硬貨処理装置の筐体に完全に収容された台車を上方から見たときのときの構成を模式的に示す概略構成図である。
【図１６】図１に示す硬貨処理装置の筐体に完全に収容された台車を側方から見たときのときの構成を模式的に示す概略構成図である。
【図１７】図１に示す硬貨処理装置において用いられる台車が筐体の外部に引き出された状態にあるときの当該台車を底部側から見たときの構成を示す斜視図である。
【図１８】図１に示す硬貨処理装置において用いられる台車が筐体の内部に完全に収容された状態にあるときの当該台車を底部側から見たときの構成を示す斜視図である。
【図１９】図１に示す硬貨処理装置において用いられる台車が筐体の外部に引き出された状態にあるときの当該台車を側方から見たときの構成を示す側面図である。
【図２０】図１に示す硬貨処理装置において用いられる台車が筐体の内部に完全に収容された状態にあるときの当該台車を側方から見たときの構成を示す側面図である。
【図２１】図１に示す硬貨処理装置において用いられる台車を底部側から見たときの構成を示す分解斜視図である。
【図２２】（ａ）〜（ｃ）は、図１に示す硬貨処理装置において台車が筐体に収容されるときの、当該台車のキャスターブラケット等と底板に設けられたロック解除ガイドとの位置関係等を順次示す側面図である。
【図２３】図１に示す硬貨処理装置において用いられる台車を奧側から見たときの構成を示す側面図である。
【図２４】変形例に係る台車を側方から見たときの構成を模式的に示す側面図である。
【図２５】更なる変形例に係る台車を側方から見たときの構成を模式的に示す側面図である。
【図２６】更なる変形例に係る台車を側方から見たときの構成を模式的に示す側面図である。
【図２７】（ａ）は、更なる変形例に係る台車を前方から見たときの構成を模式的に示す側面図であり、（ｂ）は、（ａ）に示す台車を下方から見たときの構成を模式的に示す底面図である。
【発明を実施するための形態】
【００３２】
以下、図面を参照して本発明の実施の形態について説明する。図１乃至図２３は、本実施の形態による硬貨処理装置を示す図である。このうち、図１は、本実施の形態による硬貨処理装置の外観を示す斜視図であり、図２および図３は、それぞれ、図１に示す硬貨処理装置において入金処理および出金処理が行われる際に用いられる各構成部材に係る内部構成を示す構成図である。また、図４乃至図６は、それぞれ、図１に示す硬貨処理装置から筐体を取り除いたときの内部構成を示す斜視図、正面図、左側面図である。また、図７乃至図１１は、図１に示す硬貨処理装置における位置固定案内部、第１の可動案内部および第２の可動案内部の構成を示す図である。また、図１３乃至図２３は、図１に示す硬貨処理装置における台車や当該台車が収容される筐体の収容領域等の構成を示す図である。なお、図１２は、比較例として、従来技術において台車が硬貨処理装置の筐体に収容されたときの状態を上方から見たときの構成を模式的に示す概略構成図である。
【００３３】
図１に示すように、本実施の形態による硬貨処理装置１０は略直方体形状の筐体１１を有しており、この筐体１１の上面には、シャッタ１２ａ（図２参照）により開閉される硬貨の入金口１２等が形成されている。また、筐体１１の前面には硬貨の出金箱１３、返却箱１４、入金リジェクト箱１５、収納繰出部ユニット１６および台車８０がそれぞれ手前側に引き出し可能に配設されている。
【００３４】
図２乃至図６に示すように、本実施の形態の硬貨処理装置１０において筐体１１の上部側に入金部２０が配設されており、この入金部２０の下部側に金種別の一時保留部２１が前後方向に沿って配設されている。このような一時保留部２１は、当該一時保留部２１の保守や点検等のために、筐体１１の前面から手前側に引き出し可能となっている。また、図５等に示すように、一時保留部２１より下部側の一側（左側）に、収納繰出部ユニット１６に搭載された金種別の収納繰出部２２が前後方向に沿って配設されている。また、一時保留部２１より下部側の他側（右側）に、台車８０に搭載された金種別の金箱２３が前後方向に沿って配設されている。また、一時保留部２１の下部側で収納繰出部２２と金箱２３との間には返却箱１４が配設されている。また、収納繰出部２２の左側部に横搬送部２４が前後方向に沿って配設されている。また、横搬送部２４の後部側から入金部２０に亘って縦搬送部２５が配設されている。また、横搬送部２４の前側に、出金箱１３を含む出金機構２６が配設されている。
【００３５】
図２等に示すように、入金部２０は、入金口１２から投入された硬貨を受け入れて所定量ずつ送り出す供給部３０、この供給部３０または縦搬送部２５から送り込まれる硬貨を受け入れて１枚ずつ繰り出す繰出部３１、および繰出部３１から１枚ずつ繰り出される硬貨を搬送する入金搬送部３２を備えている。図４等に示すように、供給部３０および繰出部３１は、例えば回転円盤を用いた硬貨繰出機構から構成されている。また、入金搬送部３２は、硬貨を１枚ずつ搬送する搬送ベルト等から構成されている。
【００３６】
入金搬送部３２には、当該入金搬送部３２により搬送される硬貨を識別する識別部３３が配設されている。また、入金搬送部３２において識別部３３より搬送方向下流側には選別通路部分が筐体１１の前側から後側に向けて配設されており、この選別通路部分に硬貨を選別する複数の選別部３４が配設されている。選別部３４には、搬送方向上流側から、識別部３３で識別不能と判別されたリジェクト（ＲＪ）硬貨を選別するリジェクト硬貨選別部、任意の金種または任意の種類の硬貨を選別する任意硬貨選別部、５円硬貨、１円硬貨、５０円硬貨、１００円硬貨、１０円硬貨、５００円硬貨の各金種の硬貨を選別する金種別選別部が含まれている。図２に示すように、リジェクト硬貨選別部により選別されたリジェクト硬貨は入金リジェクト箱１５に送り込まれるようになっている。また、任意硬貨選別部で選別された硬貨および各金種別選別部で選別された各金種の硬貨はそれぞれ一時保留部２１に送り込まれるようになっている。
【００３７】
一時保留部２１は、筐体１１の前後方向に沿って金種別に配設されており、金種別の一時保留部２１毎に対応して金種別に区画されていて上下方向に開口された保留枠３８、および保留枠３８の底面を開閉する底板（図示せず）等を有している。図５に示すように、保留枠３８は、モータ等の駆動部によって筐体１１の左右方向に沿って移動可能となっている。具体的には、保留枠３８は、収納繰出部２２、返却箱１４、金箱２３のいずれの上方位置にも移動可能となっている。また、底板は、モータ等の駆動部によって筐体１１の左右方向に沿って移動可能となっている。具体的には、底板は、収納繰出部２２および返却箱１４の上方位置に移動可能となっている。
【００３８】
保留枠３８が入金搬送部３２の下方（すなわち、各選別部３４の下方）に位置するとともに返却箱１４の上方に位置し、底板が保留枠３８の底面を閉塞している位置を一時保留部２１の一時保留位置とする。一時保留部２１は、このような一時保留位置にあるときに、入金搬送部３２の金種別選別部で金種別に選別された硬貨をそれぞれ収納して一時保留する。一時保留した硬貨の収納繰出部２２への収納時には保留枠３８のみが収納繰出部２２上に移動して一時保留硬貨を収納繰出部２２に放出する。また、一時保留した硬貨の金箱２３への収納時には保留枠３８のみが金箱２３上に移動して一時保留硬貨を金箱２３に放出する。また、一時保留した硬貨の返却時には底板のみが収納繰出部２２上に移動して保留枠３８の底面を開放することにより一時保留硬貨を返却箱１４に放出する。なお、一時保留部２１が金箱２３上に移動したときの当該一時保留部２１と金箱２３との間には、一時保留部２１で金種別に一時保留された硬貨が金箱２３に放出される際に外部に飛散したり金種が混じったりしないように、位置固定案内部４０、第１の可動案内部４２および第２の可動案内部４４がそれぞれ設けられている（図５や図７等参照）。これらの位置固定案内部４０、第１の可動案内部４２および第２の可動案内部４４の構成の詳細については後述する。また、一時保留部２１が収納繰出部２２上に移動したときの当該一時保留部２１と収納繰出部２２との間にも、一時保留部２１で金種別に一時保留された硬貨が収納繰出部２２に放出される際に外部に飛散したり金種が混じったりしないように案内部（図示せず）が設けられている。
【００３９】
なお、図２に示すように、金種別の一時保留部２１の最前部には、入金搬送部３２の任意選別部で選別された硬貨を一括して一時保留する一括一時保留部２１ａが配設されている。
【００４０】
収納繰出部２２は、収納繰出部ユニット１６に搭載されて筐体１１の前後方向に沿って金種別に配設されている。このような収納繰出部２２は、一時保留部２１から放出される硬貨を金種別に収納するとともに収納繰出部２２の下部に配設されている繰出機構５０（図３参照）によって収納硬貨を１枚ずつ横搬送部２４へ繰出可能としている。繰出機構５０は、例えば回転円盤等から構成されている。
【００４１】
なお、図２に示すように、金種別の収納繰出部２２の最前部には、一括一時保留部２１ａから放出される硬貨や後述する精査処理時におけるリジェクト硬貨を収納する一括収納箱２２ａが配設されている。この一括収納箱２２ａは、硬貨を繰り出すことはできない構造である。一括収納箱２２ａ内の硬貨は、収納繰出部２２と一体的に筐体１１から手前側に引き出して取り出すことができるようになっている。
【００４２】
金箱２３は、台車８０に搭載されて筐体１１の前後方向に沿って金種別に配設されている。各金箱２３は、個別に設けられていて、上面を開口した箱状に形成されており、例えば４０００枚程度の硬貨を収納可能としている。各金箱２３は、台車８０を筐体１１から手前側に引き出した状態で、当該台車８０に対して上方への抜き取りおよび上方からの差し込みが可能となっている。
【００４３】
なお、図２に示すように、金種別の金箱２３の最前部には、一括一時保留部２１ａから放出される硬貨を収納する一括金箱２３ａが配設されている。
【００４４】
返却箱１４は、筐体１１の前後方向に沿って長く、上面が開口された箱状に形成されている。当該返却箱１４は、一時保留部２１（一括一時保留部２１ａを含む）から放出される硬貨を一括して受け入れて収納可能としている。
【００４５】
横搬送部２４は、筐体１１の前後方向に沿って配設されている収納繰出部２２（一括収納箱２２ａは除く）から投出される硬貨を受け入れて搬送するベルトコンベヤにより構成されている。このベルトコンベヤは、受け入れた硬貨を、後述する回収処理時または精査処理時に筐体１１の後部側（すなわち、図３における右側）へ搬送し、後述する出金処理時に筐体１１の前部側（すなわち、図３における左側）へ搬送するように構成されている。
【００４６】
縦搬送部２５は、横搬送部２４の後部側へ搬送された硬貨を受け入れて上方の入金部２０に搬送するベルトコンベヤによって構成されている。このベルトコンベヤは、表面に硬貨を引っ掛けて搬送する突起付きのベルトを用いて上方の入金部２０に搬送可能としている。本実施の形態では、縦搬送部２５によって硬貨を入金部２０の繰出部３１に搬送するようにしているが、入金部２０の供給部３０に搬送するようにしてもよい。
【００４７】
本実施の形態では、横搬送部２４および縦搬送部２５によって、収納繰出部２２から繰り出された硬貨を入金部２０に搬送する出金搬送部５５が構成されている。
【００４８】
図３等に示すように、出金機構２６は、横搬送部２４の前部側から送り込まれる出金硬貨を受け入れる出金一時保留部６０、横搬送部２４から出金一時保留部６０に送り込まれる出金硬貨の金種を判別する判別部６１、および出金箱１３を昇降させるリフト６２（図５および図６参照）等を有している。
【００４９】
出金一時保留部６０は、横搬送部２４の前部側の一時保留位置にて横搬送部２４から送り込まれる出金硬貨を受け入れて一時保留し、一時保留後の出金時にはリフト６２によって下方の受取位置に下降された出金箱１３上に移動してこの出金箱１３に出金硬貨を放出する。一方、出金一時保留部６０は、一時保留後の回収時（判別部６１の判別において、出金金種および金額との不一致等の出金異常と判別した場合）には筐体１１内に配置される出金リジェクト箱６３上に移動してこの出金リジェクト箱６３に硬貨を放出する。
【００５０】
リフト６２は、出金箱１３を、筐体１１から出金箱１３内の硬貨を取出可能とする上方の取出位置（すなわち、図３における二点鎖線位置）と、出金一時保留部６０から出金硬貨を受け入れる下方の受取位置（すなわち、図３における実線位置）との間で昇降させる。
【００５１】
次に、このような構成からなる硬貨処理装置１０の動作について説明する。
【００５２】
まず、硬貨処理装置１０において入金処理が行われる際の動作について説明する。硬貨処理装置１０において入金処理が行われる際に、操作者が入金口１２を介して入金部２０に硬貨を投入すると、入金部２０で受け入れられた入金硬貨は繰出部３１から１枚ずつ入金搬送部３２に繰り出され、当該入金搬送部３２により搬送される。
【００５３】
入金搬送部３２により搬送される硬貨は識別部３３により識別される。そして、処理対象外や識別不能な入金リジェクト硬貨は入金リジェクト硬貨選別部で選別されて入金リジェクト箱１５に送り込まれる。また、正常な入金硬貨は金種別選別部で選別されて一時保留部２１に金種別に一時保留される。入金リジェクト硬貨を収納した入金リジェクト箱１５は、筐体１１から引き出されることにより入金リジェクト硬貨を取出可能となる。なお、入金リジェクト箱１５は、筐体１１から引き出す箱型タイプではなく、前面のシャッタを開けて中の硬貨を取り出すタイプのものでもよい。
【００５４】
一時保留部２１に硬貨が保留された後、操作者によって入金承認指令が硬貨処理装置１０の制御部（図示せず）に与えられると、一時保留部２１の保留枠３８が金箱２３上に移動し、一時保留部２１から入金硬貨が放出されて金箱２３に金種別に収納される。なお、通常は、入金硬貨を金箱２３に収納するが、収納繰出部２２においてある金種の出金準備金が少ない場合には、一時保留した入金硬貨を収納繰出部２２に収納してもよい。
【００５５】
また、一時保留部２１に硬貨が保留された後、操作者によって返却指令が硬貨処理装置１０の制御部（図示せず）に与えられると、一時保留部２１の底板が開放移動し、一時保留部２１から返却硬貨が放出されて返却箱１４に収納される。返却硬貨を収納した返却箱１４は、筐体１１から引き出されることにより返却硬貨を取り出すことができるようになる。
【００５６】
次に、硬貨処理装置１０において出金処理が行われる際の動作について説明する。硬貨処理装置１０において出金処理が行われる際に、出金対象金種の収納繰出部２２から所定の出金枚数分の出金硬貨が繰出機構５０により投出される。繰出機構５０により投出された出金硬貨は、横搬送部２４により前部側へ搬送され出金一時保留部６０に放出される。横搬送部２４から出金一時保留部６０に放出される出金硬貨は判別部６１で判別および計数が行われる。
【００５７】
収納繰出部２２から出金額分の出金硬貨の投出が完了し、判別部６１での判別によって出金額分の出金硬貨が横搬送部２４から出金一時保留部６０に放出されたことが確認されたら、出金一時保留部６０が出金箱１３側に移動することにより当該出金一時保留部６０から出金硬貨が放出されて出金箱１３に収納される。なお、出金箱１３は、予め下方の受取位置（すなわち、図３における実線位置）に移動して待機している。
【００５８】
その後、出金一時保留部６０が横搬送部２４から出金硬貨を受け入れる位置に戻り、出金硬貨を収納した出金箱１３がリフト６２によって上方の取出位置（すなわち、図３における二点鎖線位置）に移動する。そして、出金箱１３を筐体１１から引き出すことにより出金硬貨を取り出すことができるようになる。
【００５９】
出金硬貨が取り出された出金箱１３が筐体１１内に戻されると、出金箱１３がリフト６２によって下方の受取位置に移動し、次の出金硬貨の搬送に備えて受取位置で待機する。
【００６０】
次に、硬貨処理装置１０において収集処理が行われる際の動作について説明する。収集処理とは、収納繰出部２２内の硬貨を金箱２３に移す処理であり、この処理によって収納繰出部２２内の硬貨量を少なくし、後述する精査処理や回収処理を短時間で容易に行えるようにする。より詳細には、収集処理により、収納繰出部２２内の硬貨量を、所定の出金準備金を残し、かつ一時保留部２１の一時保留可能な硬貨量より少ない量とする。
【００６１】
硬貨処理装置１０において収集処理が行われる際に、収納繰出部２２から繰出機構５０により繰り出された硬貨が、横搬送部２４、縦搬送部２５、入金部２０を経て一時保留部２１に送られて一時保留され、この一時保留部２１から金箱２３に硬貨が送られる。このように、入金部２０および一時保留部２１が入金処理と同じ経路を通るようになるため、収集処理中には入金処理を行うことができないことになる。
【００６２】
次に、硬貨処理装置１０において精査処理が行われる際の動作について説明する。精査処理とは、収納繰出部２２に収納されている硬貨を金種毎に全て取り出し、識別計数した後、該当金種の収納繰出部２２に戻す処理である。硬貨処理装置１０において精査処理が行われる際に、収納繰出部２２から繰出機構５０により繰り出された硬貨が、横搬送部２４、縦搬送部２５、入金部２０を経て一時保留部２１に送られて一時保留される。ここで、入金部２０において入金搬送部３２により硬貨が搬送されるときに識別部３３により識別および計数が行われる。識別部３３により識別が行われた硬貨は一時保留部２１に一時保留される。そして、収納繰出部２２から硬貨が全て繰り出されて一時保留部２１に収納されると、一時保留部２１内の硬貨が元の収納繰出部２２に放出され、このことにより元の収納繰出部２２に硬貨が戻されるようになる。このような動作を各金種の収納繰出部２２について順次行う。
【００６３】
なお、精査処理中に識別部３３でリジェクトと判定された硬貨は、入金リジェクト箱１５に送られるのではなく、一括一時保留部２１ａへ送られ、一括一時保留部２１ａから一括収納箱２２ａへ送られる。これは、精査処理の対象となる収納繰出部２２内の硬貨は、機内在高で管理されているため、入金リジェクト箱１５へ送って外部から取り出されることのないようにするためである。
【００６４】
次に、硬貨処理装置１０において回収処理が行われる際の動作について説明する。回収処理とは、収納繰出部２２に収納されている全ての硬貨を金箱２３に送ることにより金箱２３ごと硬貨を回収する処理のことである。硬貨処理装置１０において回収処理が行われる際に、収納繰出部２２から全ての硬貨が繰出機構５０により繰り出される。繰り出された硬貨は、横搬送部２４、縦搬送部２５、入金部２０を経て一時保留部２１に送られて一時保留される。
【００６５】
ここで、収納繰出部２２に収納されている金種別の硬貨量が一時保留部２１の金種別の一時保留容量より少ない場合には、収納繰出部２２から繰り出された全ての硬貨が一時保留部２１に収納される。そして、一時保留後に、一時保留部２１から硬貨が放出されて金箱２３に収納される。一方、収納繰出部２２に収納されている金種別の硬貨量が一時保留部２１の金種別の一時保留容量より多い場合には、一時保留部２１に一時保留された硬貨の枚数が一時保留部２１の一時保留容量に達したら、収納繰出部２２および入金部２０の動作を一旦停止し、一時保留部２１から硬貨を放出して金箱２３に収納する。そして、一時保留部２１を空にしたら、収納繰出部２２および入金部２０の動作を再開し、上述したような、硬貨を一時保留部２１に一時保留し、一時保留部２１から硬貨を放出して金箱２３に収納する動作を繰り返す。
【００６６】
本実施の形態では、一時保留部２１が金箱２３上に移動したときの当該一時保留部２１と金箱２３との間に、位置固定案内部４０、第１の可動案内部４２および第２の可動案内部４４がそれぞれ配設されている。ここで、一時保留部２１は、硬貨を収納するとともに筐体１１から引き出し可能となっている上部収納部として機能し、一方、金箱２３は、上部収納部としての一時保留部２１から送られた硬貨を収納するとともに筐体１１から引き出し可能となっている下部収納部として機能するようになっている。このように、本実施の形態では、上部収納部としての一時保留部２１および下部収納部としての金箱２３の両方が筐体１１から引き出し可能な構成となっているため、両者の間の隙間の管理（具体的には、一時保留部２１の下縁と金箱２３の上縁との間の隙間の管理）が重要となる。
【００６７】
位置固定案内部４０、第１の可動案内部４２および第２の可動案内部４４の構成の詳細について図７乃至図１１を用いて説明する。なお、図７は、位置固定案内部４０、第１の可動案内部４２および第２の可動案内部４４の構成を示す分解斜視図である。また、図８は、図７に示す位置固定案内部４０、第１の可動案内部４２および第２の可動案内部４４を側方から見たときの構成の一部を示す縦断面図であり、図９は、図８において参照符号Ｒで示される領域を拡大して示す拡大縦断面図である。また、図１０は、図８に示す位置固定案内部４０、第１の可動案内部４２および第２の可動案内部４４の前部側の構成の一部を拡大して示す図である。また、図１１は、図７に示す位置固定案内部４０、第１の可動案内部４２および第２の可動案内部４４を手前側から見たときの構成を示す縦断面図である。
【００６８】
上述したように、本実施の形態では、一時保留部２１および金箱２３はそれぞれ筐体１１の前面から手前側に引き出し可能となっている。ここで、一時保留部２１および金箱２３をそれぞれ筐体１１の内部に収容したときに、一時保留部２１の下縁と金箱２３の上縁との間の隙間が大きい場合には、この隙間に硬貨が挟まってしまったり当該隙間から硬貨が金箱外に飛び出してしまったりするおそれがあるため、当該隙間をできるだけ詰めることが求められている。これに対し、本実施の形態では、図５等に示すように、一時保留部２１が金箱２３上に移動したときの当該一時保留部２１と金箱２３との間に、位置固定案内部４０のみならず当該位置固定案内部４０に対して移動自在となっている第１の可動案内部４２および第２の可動案内部４４を設けることにより、一時保留部２１の下縁と金箱２３の上縁との間の隙間を詰めるようになっており、このことにより当該隙間に硬貨が挟まってしまったりこの隙間から硬貨が金箱２３外に飛び出してしまったりすることを防止するようになっている。このように、本実施の形態では、第１の可動案内部４２および第２の可動案内部４４により、一時保留部２１および金箱２３がそれぞれ筐体１１の内部に収容されたときに一時保留部２１と位置固定案内部４０との間の隙間および金箱２３と位置固定案内部４０との間の隙間をそれぞれ詰める隙間調整機構が構成されている。
【００６９】
図５等に示すように、位置固定案内部４０は、一時保留部２１が金箱２３の真上の位置に移動したときの当該一時保留部２１と金箱２３との間の箇所に位置固定で設けられている。一方、第１の可動案内部４２は、位置固定案内部４０の上方において当該位置固定案内部４０に対して移動可能に設けられており、一時保留部２１側に向かって付勢されるようになっている。より詳細には、図７等に示すように、位置固定案内部４０と第１の可動案内部４２との間には複数のバネ４６が設けられており、当該バネ４６の収縮状態からの反発力によって第１の可動案内部４２は位置固定案内部４０から上方に遠ざかる方向に（すなわち、一時保留部２１側に向かって）付勢されるようになっている。そして、一時保留部２１が筐体１１に収容される際に、第１の可動案内部４２は一時保留部２１側への付勢力に抗して（すなわち、バネ４６を圧縮させながら）下方に押し下げられるようになっている。
【００７０】
また、第２の可動案内部４４は、位置固定案内部４０の下方において当該位置固定案内部４０に対して移動可能に設けられており、金箱２３側に向かって付勢されるようになっている。より詳細には、図７等に示すように、位置固定案内部４０と第２の可動案内部４４との間には複数のバネ４８が設けられており、当該バネ４８の収縮状態からの反発力によって第２の可動案内部４４は位置固定案内部４０から下方に遠ざかる方向に（すなわち、金箱２３側に向かって）付勢されるようになっている。そして、金箱２３が筐体１１に収容される際に、第２の可動案内部４４は金箱２３側への付勢力に抗して（すなわち、バネ４８を圧縮させながら）上方に押し上げられるようになっている。
【００７１】
このような位置固定案内部４０、第１の可動案内部４２および第２の可動案内部４４の構成について以下に詳述する。
【００７２】
図７等に示すように、位置固定案内部４０は、上方から見て長方形形状の枠体からなり、この位置固定案内部４０の内部空間４０ｍは複数の領域に区画されていない。なお、一時保留部２１から下方に放出された硬貨はこの位置固定案内部４０の内部空間４０ｍを通って金箱２３に送られるようになる。また、位置固定案内部４０の四隅にはそれぞれ鉛直方向に延びるピン部材４０ｐが設けられており、各ピン部材４０ｐの周囲に、第２の可動案内部４４を位置固定案内部４０から下方に遠ざかる方向に付勢するバネ４８が配設されるようになっている。また、位置固定案内部４０の前縁部および後縁部には、それぞれ、第１の可動案内部４２を位置固定案内部４０から上方に遠ざかる方向に付勢するバネ４６の下端部を受けるための受け部材４０ｒが設けられている。
【００７３】
第１の可動案内部４２は、上方から見て位置固定案内部４０と略同一の大きさの長方形形状の枠体からなり、この第１の可動案内部４２の内部空間は仕切部材４２ａにより複数の領域４２ｍに区画されている。ここで、仕切部材４２ａにより区画された各領域４２ｍは、一時保留部２１（一括一時保留部２１ａを含む）における金種別に区画された各領域に対応している。そして、一時保留部２１から下方に放出された硬貨は金種毎に第１の可動案内部４２の各領域４２ｍを通って金箱２３に送られるようになる。また、第１の可動案内部４２の四隅にはそれぞれ鉛直方向に延びるピン部材４２ｐが設けられており、各ピン部材４０ｐの周囲に、第１の可動案内部４２を位置固定案内部４０から上方に遠ざかる方向に付勢するバネ４６が配設されるようになっている。
【００７４】
第２の可動案内部４４は、上方から見て位置固定案内部４０と略同一の大きさの長方形形状の枠体からなり、この第２の可動案内部４４の内部空間は仕切部材４４ａにより複数の領域４４ｍに区画されている。ここで、仕切部材４４ａにより区画された各領域４４ｍは、各金種の金箱２３（一括金箱２３ａを含む）に対応している。そして、一時保留部２１から下方に放出された硬貨は金種毎に第２の可動案内部４４の各領域４４ｍを通って各金種の金箱２３に送られるようになる。また、図７に示すように、各仕切部材４４ａの裏面には、上下方向に沿って平行に延びる複数の溝４４ｃ（いわゆる肉盗み）が形成されている。また、第２の可動案内部４４の四隅には、それぞれ、第２の可動案内部４４を位置固定案内部４０から下方に遠ざかる方向に付勢するバネ４８の下端部を受けるための受け部材４４ｒが配設されるようになっている。
【００７５】
図８および図９に示すように、第１の可動案内部４２に設けられた各仕切部材４２ａには、下方が開口している空洞部４２ｂが設けられており、この空洞部４２ｂには、第２の可動案内部４４に設けられた各仕切部材４４ａの上端部４４ｂが入り込むようになっている。このことにより、第１の可動案内部４２や第２の可動案内部４４の前後方向（すなわち、図８や図９における左右方向）において、第１の可動案内部４２の各仕切部材４２ａと第２の可動案内部４４の各仕切部材４４ａとの間の隙間を硬貨が通ることが防止されるようになり、よって一時保留部２１から落下した硬貨が異なる金種の金箱２３に収納されてしまうことを防止することができるようになる。
【００７６】
また、図１０に示すように、第１の可動案内部４２における前端部には、筐体１１の前後方向（すなわち、図１０における左右方向）に沿って斜め上方に傾斜した傾斜面４２ｄが設けられている。一方、一時保留部２１における奧側の端部の下部にも、筐体１１の前後方向に沿って斜め上方に傾斜した傾斜部２１ｂが設けられている。このため、一時保留部２１を筐体１１の内部に収容する際に当該一時保留部２１を図１０における矢印方向に移動させたときに、一時保留部２１の傾斜部２１ｂの傾斜面と第１の可動案内部４２の傾斜面４２ｄとが接触するようになり、この傾斜面４２ｄが一時保留部２１の傾斜部２１ｂにより下方に押圧されることにより第１の可動案内部４２がバネ４６の収縮状態からの反発力に抗してわずかに下方に移動するようになる。また、一時保留部２１の傾斜部２１ｂの傾斜面と第１の可動案内部４２の傾斜面４２ｄとが接触するため、一時保留部２１を筐体１１の内部に収容する際に当該一時保留部２１の端部が第１の可動案内部４２に引っ掛からずにスムーズに筐体１１の奧側に移動させることができるようになる。一時保留部２１が筐体１１の内部に収容されると、第１の可動案内部４２はこの一時保留部２１によりバネ４６の収縮状態からの反発力に抗してわずかに下方に押動されるため、第１の可動案内部４２の上端縁は一時保留部２１の下端縁と当接するようになる。この際に、図８や図９に示すように、第１の可動案内部４２の各仕切部材４２ａの上端縁も、一時保留部２１を各金種の領域に区画する仕切部材２１ｃの下端縁に当接するようになる。
【００７７】
また、図１０に示すように、第２の可動案内部４４における前端部にも、筐体１１の前後方向（すなわち、図１０における左右方向）に沿って斜め上方に傾斜した傾斜面４４ｄが設けられている。このため、金箱２３を筐体１１の内部に収容する際に当該金箱２３を図１０における矢印方向に移動させたときに、金箱２３の上端部と第２の可動案内部４４の傾斜面４４ｄとが接触するようになり、この傾斜面４４ｄが金箱２３の上端部により上方に押圧されることにより第２の可動案内部４４がバネ４８の収縮状態からの反発力に抗してわずかに上方に移動するようになる。また、金箱２３の上端部と第２の可動案内部４４の傾斜面４４ｄとが接触するため、金箱２３を筐体１１の内部に収容する際に当該金箱２３の端部が第２の可動案内部４４に引っ掛からずにスムーズに筐体１１の奧側に移動させることができるようになる。金箱２３が筐体１１の内部に収容されると、第２の可動案内部４４はこの金箱２３によりバネ４８の収縮状態からの反発力に抗してわずかに上方に押動されるため、第２の可動案内部４４の下端縁は金箱２３の上端縁と当接するようになる。この際に、図８や図９に示すように、第２の可動案内部４４の各仕切部材４４ａの下端縁は、金箱２３の上端縁に当接するようになる。
【００７８】
図１１は、図７に示す位置固定案内部４０、第１の可動案内部４２および第２の可動案内部４４を手前側から見たときの構成を示す縦断面図である。図１１では、位置固定案内部４０、第１の可動案内部４２および第２の可動案内部４４の構成を分かりやすく図示するために、位置固定案内部４０を白塗りで、第１の可動案内部４２を斜線で、第２の可動案内部４４を網掛けで、それぞれ図示している。上述したように、第１の可動案内部４２に設けられた各仕切部材４２ａには、下方が開口している空洞部４２ｂが設けられているが、この空洞部４２ｂは鉛直方向に延びる複数の仕切板４２ｅにより複数の領域に仕切られている。また、第２の可動案内部４４の仕切部材４４ａの上端部４４ｂは櫛歯形状となっており、この上端部４４ｂの各歯が、仕切板４２ｅにより仕切られた空洞部４２ｂの各領域に入り込むようになっている。このことにより、第１の可動案内部４２の各仕切部材４２ａと第２の可動案内部４４の各仕切部材４４ａとの間の隙間を硬貨が通ることがより一層防止されるようになる。
【００７９】
また、図１１に示すように、第１の可動案内部４２の両縁部には、下方が開口している空洞部４２ｆが設けられており、この空洞部４２ｆには、位置固定案内部４０の上端部４０ａが入り込むようになっている。このことにより、第１の可動案内部４２の枠体と位置固定案内部４０の枠体との間の隙間を硬貨が通ることが防止されるようになり、よって一時保留部２１から落下した硬貨が位置固定案内部４０から外方に飛散してしまうことを防止することができるようになる。
【００８０】
また、図８乃至図１１に示すように、本実施の形態では、第１の可動案内部４２の長方形形状の枠体（すなわち、仕切部材４２ａ以外の部分）の下縁および第２の可動案内部４４の長方形形状の枠体（すなわち、仕切部材４４ａ以外の部分）の上縁は、一時保留部２１および金箱２３がそれぞれ筐体１１に収容されて第１の可動案内部４２が下方に押し下げられるとともに第２の可動案内部４４が上方に押し上げられたときに、互いに入り組み合うような形状となっている。このように、一時保留部２１および金箱２３がそれぞれ筐体１１に収容されたときに第１の可動案内部４２の長方形形状の枠体の下縁および第２の可動案内部４４の長方形形状の枠体の上縁が互いに入り組み合うため、一時保留部２１の各領域から金箱２３の各領域に硬貨を送る際に、一時保留部２１の下縁と金箱２３の上縁との間の隙間から硬貨が金箱２３の外部に飛散してしまうことをより一層防止することができるようになる。なお、この場合には、第１の可動案内部４２の長方形形状の枠体の下縁および第２の可動案内部４４の長方形形状の枠体の上縁のうち少なくとも一方が櫛歯形状となっていてもよい。
【００８１】
また、図１１に示すように、第１の可動案内部４２を手前側から見て左端部には、筐体１１の幅方向（すなわち、図１１における左右方向）に沿って斜め上方に傾斜した傾斜面４２ｃが設けられている。このため、一時保留部２１の保留枠３８が図５に示すような一時保留位置（すなわち、入金搬送部３２の下方の位置であって返却箱１４の上方の位置）から金箱２３の上方の位置に移動する際に、この保留枠３８の下端部と第１の可動案内部４２の傾斜面４２ｃとが接触するようになり、この傾斜面４２ｃが保留枠３８の下端部により下方に押圧されることにより第１の可動案内部４２がバネ４６の収縮状態からの反発力に抗してわずかに下方に移動するようになる。また、保留枠３８の下端部と第１の可動案内部４２の傾斜面４２ｃとが接触するため、保留枠３８を一時保留位置から金箱２３の上方の位置に移動させる際に当該保留枠３８の端部が第１の可動案内部４２に引っ掛からずにスムーズに金箱２３の上方の位置に移動させることができるようになる。
【００８２】
以上のように本実施の形態による硬貨処理装置１０によれば、筐体１１に収容されたときの一時保留部２１（上部収納部）と金箱２３（下部収納部）との間において位置固定案内部４０が位置固定で設けられ、この位置固定案内部４０により一時保留部２１から金箱２３に硬貨が案内されるようになっている。しかも、本実施の形態による硬貨処理装置１０には、一時保留部２１および金箱２３がそれぞれ筐体１１に収容されたときに一時保留部２１と位置固定案内部４０との間の隙間および金箱２３と位置固定案内部４０との間の隙間をそれぞれ詰める隙間調整機構が設けられている。このように、隙間調整機構により、一時保留部２１および金箱２３がそれぞれ筐体１１に収容されたときに一時保留部２１と位置固定案内部４０との間の隙間および金箱２３と位置固定案内部４０との間の隙間がそれぞれ自動的に詰められるため、一時保留部２１の下縁と金箱２３の上縁との間の隙間を詰める際の作業負担を軽減しながら、一時保留部２１から金箱２３に硬貨が送られる際に一時保留部２１の下縁と金箱２３の上縁との間の隙間に硬貨が挟まってしまったりこの隙間から硬貨が外部に飛び出してしまったりすることを十分に防止することができるようになる。
【００８３】
また、本実施の形態の硬貨処理装置１０においては、上述したように、上記の隙間調整機構は、位置固定案内部４０に移動可能に設けられ、一時保留部２１側に向かって付勢される第１の可動案内部４２と、第１の可動案内部４２よりも下方位置において位置固定案内部４０に移動可能に設けられ、金箱２３側に向かって付勢される第２の可動案内部４４とを有している。そして、一時保留部２１が筐体１１に収容される際に第１の可動案内部４２は一時保留部２１側への付勢力に抗して下方に押し下げられ、また、金箱２３が筐体１１に収容される際に第２の可動案内部４４は金箱２３側への付勢力に抗して上方に押し上げられるようになっている。この場合には、一時保留部２１や金箱２３を筐体１１に収容する際に、第１の可動案内部４２や第２の可動案内部４４を自動的に移動させることができるため、一時保留部２１の下縁と金箱２３の上縁との間の隙間を詰める作業を操作者が手動で行わなくても一時保留部２１の下縁と金箱２３の上縁との間の隙間を自動で調整することができるようになる。
【００８４】
また、本実施の形態の硬貨処理装置１０においては、上述したように、第１の可動案内部４２の長方形形状の枠体（すなわち、仕切部材４２ａ以外の部分）の下縁および第２の可動案内部４４の長方形形状の枠体（すなわち、仕切部材４４ａ以外の部分）の上縁は、一時保留部２１および金箱２３がそれぞれ筐体１１に収容されて第１の可動案内部４２が下方に押し下げられるとともに第２の可動案内部４４が上方に押し上げられたときに、互いに入り組み合うような形状となっている。このことにより、一時保留部２１の各領域から金箱２３の各領域に硬貨を送る際に、一時保留部２１の下縁と金箱２３の上縁との間の隙間から硬貨が金箱２３の外部に飛散してしまうことをより一層防止することができるようになる。なお、上述したように、第１の可動案内部４２の長方形形状の枠体の下縁および第２の可動案内部４４の長方形形状の枠体の上縁のうち少なくとも一方が櫛歯形状となっていてもよい。
【００８５】
また、本実施の形態の硬貨処理装置１０においては、上述したように、上部収納部としての一時保留部２１および下部収納部としての金箱２３はそれぞれ複数の領域に区分けされている。また、第１の可動案内部４２は、一時保留部２１の各領域に対応して仕切部材４２ａ（第１の仕切部材）により複数の領域に区分けされており、第２の可動案内部４４は、金箱２３の各領域に対応して仕切部材４４ａ（第２の仕切部材）により複数の領域に区分けされている。このことにより、一時保留部２１の各領域から金箱２３の各領域に硬貨を送る際に、一時保留部２１から落下した硬貨が異なる金種の金箱２３に収納されてしまうことを防止することができるようになる。また、この場合、第１の可動案内部４２の仕切部材４２ａの下縁および第２の可動案内部４４の仕切部材４４ａの上縁は、一時保留部２１および金箱２３がそれぞれ筐体１１に収容されて第１の可動案内部４２が下方に押し下げられるとともに第２の可動案内部４４が上方に押し上げられたときに互いに入り組み合うような形状となっている。具体的には、第１の可動案内部４２の仕切部材４２ａの下縁および第２の可動案内部４４の仕切部材４４ａの上縁のうち少なくとも一方（本実施の形態では第２の可動案内部４４の仕切部材４４ａの上縁）は櫛歯形状となっている。このことにより、第１の可動案内部４２の各仕切部材４２ａと第２の可動案内部４４の各仕切部材４４ａとの間の隙間を硬貨が通ることがより一層防止されるようになる。
【００８６】
また、本実施の形態では、図１３乃至図１６に示すように、硬貨処理装置１０の筐体１１の内部には、台車８０が収容される収容領域１１ａが設けられており、この収容領域１１ａには、金箱２３が載置された台車８０が当該筐体１１の内部に収容されたときにこの台車８０の一部分（具体的には、台車８０の先端側の一部）が乗り上げる底板１１ｂが設けられている。ここで、台車８０の底部には、当該台車８０の底部における取り付け位置が固定されている２つの位置固定車輪８８と、台車８０の底部における取り付け位置が可変となっている２つの位置可変車輪９０とが設けられている。そして、台車８０が硬貨処理装置１０の筐体１１の内部に収容されたときに、位置可変車輪９０が位置固定車輪８８側に向かって移動し、位置可変車輪９０と位置固定車輪８８との間の距離が小さくなるようになっている。また、図１６等に示すように、底板１１ｂに台車８０が載置されたときに、台車８０の一部が底板１１ｂ上に乗り上げることにより、当該台車８０の底部に設けられた各車輪８８、９０が床面から浮くようになっている。このような本実施の形態における台車８０の技術的特徴について以下に詳述する。
【００８７】
図１３は、台車８０を上方から見たときの位置固定車輪８８や位置可変車輪９０等の位置を模式的に示す概略構成図であり、図１４は、筐体１１における台車８０が収容されるべき収容領域１１ａの構成を模式的に示す概略構成図である。また、図１５は、筐体１１に完全に収容された台車８０を上方から見たときのときの構成を模式的に示す概略構成図であり、図１６は、筐体１１に完全に収容された台車８０を側方から見たときのときの構成を模式的に示す概略構成図である。また、図１７は、台車８０が筐体１１の外部に引き出された状態にあるときの当該台車８０を底部側から見たときの構成を示す斜視図であり、図１８は、台車８０が筐体１１の内部に完全に収容された状態にあるときの当該台車８０を底部側から見たときの構成を示す斜視図である。また、図１９は、台車８０が筐体１１の外部に引き出された状態にあるときの当該台車８０を側方から見たときの構成を示す側面図であり、図２０は、台車８０が筐体１１の内部に完全に収容された状態にあるときの当該台車８０を側方から見たときの構成を示す側面図である。また、図２１は、台車８０を底部側から見たときの構成を示す分解斜視図である。また、図２２（ａ）〜（ｃ）は、台車８０が筐体１１に収容されるときの、当該台車８０のキャスターブラケット８６等と底板１１ｂに設けられたロック解除ガイド９４との位置関係等を順次示す側面図である。また、図２３は、台車８０を奧側から見たときの構成を示す側面図である。
【００８８】
図１７乃至図２１に示すように、台車８０は、側方から見てＬ字形状となっており複数の金箱２３が着脱自在に載置される本体部分８２と、本体部分８２に対して金箱２３の並ぶ方向（すなわち、筐体１１の奥行き方向）に沿ってスライド自在に設けられたスライドブラケット８４と、スライドブラケット８４に対して軸８６ａを中心として回転自在に設けられたキャスターブラケット８６とを有している。ここで、図１７等に示すように、本体部分８２における鉛直方向に延びる部分には、操作者が台車８０を運搬する際に当該操作者により把持される、窪んだ形状等からなる把持部分８２ａが形成されている。また、台車８０の底部における取り付け位置が固定されている２つの位置固定車輪８８は本体部分８２の底面に取り付けられており、台車８０の底部における取り付け位置が可変となっている２つの位置可変車輪９０はキャスターブラケット８６の底面に取り付けられている。より詳細には、各位置可変車輪９０は、その向きが変わることのないようキャスターブラケット８６の底面に取り付けられているのに対し、各位置固定車輪８８は、その向きを自在に変えることのできるよう鉛直方向に延びる軸を中心として回転自在に本体部分８２の底面に取り付けられている。このことにより、金箱２３が載置された台車８０を操作者が運搬する際に、この台車８０の進行方向を操作者は容易に変えることができるようになり、かつ台車８０の進行方向を操作者が変える際に当該台車８０が金箱２３ごと転倒してしまうことをできるだけ抑制することができるようになる。
【００８９】
また、図１７等に示すように、本体部分８２の底面には略長方形形状の補強板８３が取り付けられている。この補強板８３の幅方向における中央位置には、金箱２３の並ぶ方向（すなわち、筐体１１の奥行き方向）に沿ってスライド用長穴８３ａが形成されている。また、図２１等に示すように、スライドブラケット８４の上部にはピン部材８４ａが取り付けられており、このピン部材８４ａが補強板８３のスライド用長穴８３ａに挿入されるようになっている。このことにより、スライドブラケット８４はスライド用長穴８３ａの延びる方向に沿って本体部分８２に対してスライドするようになる。なお、図２１では１つのピン部材８４ａのみが図示されているが、実際には図２２に示すようにスライド用長穴８３ａの延びる方向に沿って並ぶよう２つのピン部材８４ａが互いに離間してスライドブラケット８４の上部に取り付けられており、これらの２つのピン部材８４ａがスライド用長穴８３ａ内で移動することにより本体部分８２に対してスライドブラケット８４およびキャスターブラケット８６がスライドするようになる。
【００９０】
また、図２１に示すように、スライドブラケット８４の側部には２つの回転用穴８４ｂが設けられており、この回転用穴８４ｂには、キャスターブラケット８６に設けられた軸８６ａが挿入されるようになっている。このことにより、キャスターブラケット８６はスライドブラケット８４に対して軸８６ａを中心として回転するようになる。
【００９１】
図２２に示すように、キャスターブラケット８６の奧側上部には、上方に延びるロックピン８６ｃが設けられている。また、補強板８３には、当該ロックピン８６ｃが挿入されるロック用穴８３ｃが形成されている（図２１参照）。ここで、台車８０が硬貨処理装置１０の筐体１１から完全に引き出された状態にあるときには、図２２（ａ）に示すように、キャスターブラケット８６に設けられたロックピン８６ｃが補強板８３に設けられたロック用穴８３ｃに挿入されることにより、台車８０の運搬中に本体部分８２に対してスライドブラケット８４やキャスターブラケット８６がスライドすることが抑止される。また、図２３に示すように、キャスターブラケット８６の上面には板状の磁石８６ｄ（図２３において斜線で表示）が貼り付けられており、補強板８３は当該磁石８６ｄがくっつくような金属製の材料から構成されている。このことにより、台車８０が硬貨処理装置１０の筐体１１から完全に引き出された状態にあるときには、キャスターブラケット８６の上部に設けられた磁石８６ｄが磁力により補強板８３にくっついた状態でロックピン８６ｃがロック用穴８３ｃに挿入されるため、台車８０の運搬中に本体部分８２に対してスライドブラケット８４やキャスターブラケット８６がスライドすることがより一層抑止されるようになる。
【００９２】
また、図２２に示すように、筐体１１の底板１１ｂには、ロックピン８６ｃによるロックを解除するためのロック解除ガイド９４が設けられている。また、このロック解除ガイド９４には、キャスターブラケット８６を保持するための磁石９５が取り付けられている。また、キャスターブラケット８６には、台車８０が硬貨処理装置１０の筐体１１の内部に収容される際に当該ロック解除ガイド９４が当接する傾斜部８６ｂが設けられている。そして、台車８０が硬貨処理装置１０の筐体１１の内部に収容される際に、図２２（ｂ）に示すように、筐体１１の底板１１ｂに設けられたロック解除ガイド９４がキャスターブラケット８６の傾斜部８６ｂに当接すると、このロック解除ガイド９４はキャスターブラケット８６の傾斜部８６ｂを押し下げるようになり、キャスターブラケット８６はスライドブラケット８４に対して軸８６ａを中心として図２２における時計回りの方向に回転する。このことにより、図２２（ｃ）に示すように、キャスターブラケット８６の奧側上部に設けられたロックピン８６ｃも補強板８３のロック用穴８３ｃから下方に外れるようになる。このような状態で台車８０を更に硬貨処理装置１０の筐体１１の内部に移動させると、ロック解除ガイド９４に取り付けられた磁石９５によりキャスターブラケット８６が押動されることによってキャスターブラケット８６やスライドブラケット８４は本体部分８２に対してスライド用長穴８３ａの延びる方向に沿って図２２における左方向にスライドするようになる。このようにして、台車８０が硬貨処理装置１０の筐体１１の内部に完全に収容されると、キャスターブラケット８６やスライドブラケット８４は図１８や図２０に示すような箇所に位置するようになるため、位置可変車輪９０と位置固定車輪８８との間の距離が小さくなるようになっている。なお、本実施の形態では、キャスターブラケット８６は、ロック解除ガイド９４に取り付けられた磁石９５がくっつくような金属製の材料から構成されている。このことにより、ロック解除ガイド９４に取り付けられた磁石９５によりキャスターブラケット８６が押動された後、磁石９５によりロック解除ガイド９４とキャスターブラケット８６とがくっついた状態となる。
【００９３】
図１５、図１６、図２０等に示すように、硬貨処理装置１０の筐体１１の底板１１ｂには、台車８０が筐体１１の内部に完全に収容されたときに当該台車８０の本体部分８２が乗り上げる回転体９６、９７、９８（具体的には、例えばベアリング）が設けられている。ここで、図２０では３つの回転体９６、９７、９８しか図示されていないが、実際には図１５に示すように各回転体９６、９７、９８は筐体１１の内部に完全に収容されたときの台車８０の幅方向に沿って並ぶよう当該台車８０の両側縁部に対応して２つずつ配置されている。そして、本実施の形態では、台車８０が筐体１１の内部に完全に収容されたときに当該台車８０の本体部分８２が各回転体９６、９７、９８に乗り上げることにより、図１６や図２０に示すように位置固定車輪８８および位置可変車輪９０はそれぞれ床面（図１６や図２０等において参照符号Ｇで表示）から浮くようになる。
【００９４】
また、筐体１１の内部に収容された台車８０を当該筐体１１の前面から手前側に引き出す際には、操作者は台車８０の本体部分８２に設けられた把持部分８２ａを把持してこの本体部分８２を筐体１１の前面から手前側に移動させるが、この際にキャスターブラケット８６はロック解除ガイド９４に取り付けられた磁石９５にくっついた状態となっているため、スライドブラケット８４およびキャスターブラケット８６は本体部分８２と一体的に移動することなく、これらのスライドブラケット８４およびキャスターブラケット８６は本体部分８２に対してスライド用長穴８３ａの延びる方向に沿って図２２における右方向に相対的にスライドするようになる。このことにより、スライドブラケット８４およびキャスターブラケット８６が図１７や図１９に示すような位置までスライドすると、キャスターブラケット８６の奧側上部に設けられたロックピン８６ｃが補強板８３のロック用穴８３ｃに挿入されることにより、本体部分８２に対してスライドブラケット８４やキャスターブラケット８６がスライドすることが抑止されるようになる。ロックピン８６ｃが補強板８３のロック用穴８３ｃに挿入されるのは、キャスターブラケット８６の上面に貼り付けられた板状の磁石８６ｄの吸引力による。
【００９５】
上述したように、本実施の形態の硬貨処理装置１０では、筐体１１における台車８０が収容されるべき収容領域１１ａには、台車８０が筐体１１の内部に収容されたときに当該台車８０が載置される底板１１ｂが設けられており、図１６や図２０に示すように、底板１１ｂに台車８０が載置されたときに当該台車８０の底部に設けられた各車輪８８、９０が床面から浮くようになっている。このため、床面が滑らかな水平面ではなく凹凸があった場合でも、このような床面の影響を受けることなく金箱２３の上端の高さを安定化させることができる。このことにより、一時保留部２１の下縁と金箱２３の上縁との間の隙間を一定の大きさとすることができ、上記隙間の寸法管理が容易になる。
【００９６】
また、本実施の形態の硬貨処理装置１０においては、底板１１ｂには例えばベアリング等からなる回転体９６、９７、９８が設けられており、底板１１ｂに台車８０が載置されたときに当該台車８０は回転体９６、９７、９８上に乗り上げるようになっている。このことにより、台車８０を底板１１ｂ上でスムーズに移動させることができるようになるため、台車８０を筐体１１の内部に収容する際に強い力で台車８０を筐体１１の内部に押し込まなくても当該台車８０を底板１１ｂ上に乗せることができるようになる。
【００９７】
また、本実施の形態の硬貨処理装置１０においては、台車８０には、当該台車８０の底部における取り付け位置が固定されている位置固定車輪８８と、台車８０の底部における取り付け位置が可変となっている位置可変車輪９０とが設けられており、台車８０が筐体１１に収容されたときに位置可変車輪９０が位置固定車輪８８側に向かって移動し、位置可変車輪９０と位置固定車輪８８との間の距離が小さくなるようになっている。このことにより、筐体１１における、台車８０の収容スペースのために切り欠かれた収容領域１１ａの底部の面積（すなわち、図１４において参照符号Ｓで示す領域の面積）を小さくすることができ、当該筐体１１の強度をより大きくすることができるようになる。このことについて、図１２に示すような比較例を用いて説明する。図１２では、従来技術における台車１００が硬貨処理装置１０の筐体１１に収容されたときの状態を上方から見たときの構成を模式的に示している。
【００９８】
図１２に示すような従来技術の台車１００では、当該台車１００の底部における取り付け位置が可変となっている位置可変車輪は設けられておらず、代わりに台車１００の底部における取り付け位置が固定されている４つの位置固定車輪１０２が設けられている。このような台車１００が用いられる場合には、筐体１１における、台車１００の収容スペースのために切り欠かれた収容領域１１ａの大きさを、台車１００と略同一の大きさとする必要があり、この切り欠かれた収容領域１１ａの底部の面積が比較的大きくなるため筐体１１の強度がそれほど大きくならないという問題が生じてしまう。これに対し、本実施の形態では、図１５に示すように、台車８０が筐体１１に収容されたときに位置可変車輪９０が位置固定車輪８８側に向かって移動し、位置可変車輪９０と位置固定車輪８８との間の距離が小さくなるため、台車８０の収容スペースのために切り欠かれた収容領域１１ａの底部の面積（すなわち、図１４において参照符号Ｓで示される領域の面積）を当該台車８０の本体部分８２の底部の面積よりも小さくすることができ、よって筐体１１の強度をより大きくすることができるようになる。
【００９９】
なお、本実施の形態による硬貨処理装置１０は、上述したような態様に限定されることはなく、様々な変更を加えることができる。
【０１００】
例えば、上記の説明では、筐体１１に収容されたときの一時保留部２１と金箱２３との間において、位置調整機構として、位置固定案内部４０に第１の可動案内部４２および第２の可動案内部４４がそれぞれ移動可能に設けられた例について述べたが、このような例に限定されることはない。一時保留部２１および金箱２３がそれぞれ筐体１１に収容されたときに一時保留部２１と位置固定案内部４０の間の隙間および金箱２３と位置固定案内部４０との間の隙間をそれぞれ詰める隙間調整機構として、一時保留部２１の下部に移動可能に設けられた第３の可動案内部（図示せず）と、金箱２３の上部に移動可能に設けられた第４の可動案内部（図示せず）とを有するものが用いられてもよい。具体的には、このような態様では、一時保留部２１および第３の可動案内部は一体的に筐体１１から引き出し可能となっており、また、金箱２３および第４の可動案内部は一体的に筐体１１から引き出し可能となっている。
【０１０１】
このような変形例では、一時保留部２１と第３の可動案内部との間には複数のバネ（図示せず）が設けられており、当該バネの収縮状態からの反発力によって第３の可動案内部は当該一時保留部２１から下方に遠ざかる方向に（すなわち、位置固定案内部４０側に向かって）付勢されるようになっている。そして、一時保留部２１が筐体１１に収容される際に、第３の可動案内部は位置固定案内部４０側への付勢力に抗して（すなわち、バネを圧縮させながら）上方に押し上げられるようになっている。なお、第３の可動案内部は上記の第１の可動案内部４２と略同一の構成となっているため図示を省略する。
【０１０２】
同様に、金箱２３と第４の可動案内部との間にも複数のバネ（図示せず）が設けられており、当該バネの収縮状態からの反発力によって第４の可動案内部は当該金箱２３から上方に遠ざかる方向に（すなわち、位置固定案内部４０側に向かって）付勢されるようになっている。そして、金箱２３が筐体１１に収容される際に、第４の可動案内部は位置固定案内部４０側への付勢力に抗して（すなわち、バネを圧縮させながら）下方に押し下げられるようになっている。なお、第４の可動案内部は上記の第２の可動案内部４４と略同一の構成となっているため図示を省略する。
【０１０３】
このような第３の可動案内部および第４の可動案内部を有する位置調整機構でも、一時保留部２１および金箱２３がそれぞれ筐体１１に収容されたときに一時保留部２１と位置固定案内部４０との間の隙間および金箱２３と位置固定案内部４０との間の隙間がそれぞれ自動的に詰められるため、一時保留部２１の下縁と金箱２３の上縁との間の隙間を詰める際の作業負担を軽減しながら、一時保留部２１から金箱２３に硬貨が送られる際に一時保留部２１の下縁と金箱２３の上縁との間の隙間に硬貨が挟まってしまったりこの隙間から硬貨が外部に飛び出してしまったりすることを十分に防止することができるようになる。
【０１０４】
また、本実施の形態の硬貨処理装置１０においては、筐体１１において台車８０が収容される収容領域１１ａに開閉扉が設けられていてもよい。この場合には、操作者は、筐体１１に台車８０を収容したり当該筐体１１から台車８０を取り出したりする際に開閉扉を開けてから筐体１１に対する台車８０の出し入れを行うようになる。また、このような硬貨処理装置１０では、所定の権限を有する操作者のみが解錠することができる施錠機構を開閉扉に設けることにより、台車８０に載置された金箱２３が台車８０ごと盗難されてしまうことを防止することができるようになり、防盗性を向上させることができるようになる。
【０１０５】
また、本実施の形態の硬貨処理装置１０においては、図１３乃至図２３に示すような構成の台車８０を用いる代わりに、側方から見て図２４に示すような構成の台車８０ａを用いてもよい。このような変形例に係る台車８０ａでは、本体部分８２の奧側下部にロック部８２ｍが設けられるとともに、キャスターブラケット８６には上記のロック部８２ｍが係合される被ロック部８６ｍが設けられている。そして、このような台車８０ａを筐体１１の内部に収容する際に、ロック解除ガイド９４がキャスターブラケット８６の先端部分に当接してこのキャスターブラケット８６を図２４における左方向に移動させることによってロック部８２ｍと被ロック部８６ｍとの間の係合が解除され、本体部分８２に対してスライドブラケット８４およびキャスターブラケット８６が金箱２３の並ぶ方向（すなわち、筐体１１の奥行き方向）に沿って図２４における左側に移動し、位置可変車輪９０と位置固定車輪８８との間の距離が小さくなる。一方、筐体１１から台車８０ａが引き出されるときには、本体部分８２に対してスライドブラケット８４およびキャスターブラケット８６が相対的に図２４における右側に移動し、ロック部８２ｍと被ロック部８６ｍとが係合するようになる。このことにより、筐体１１から台車８０ａが完全に引き出された状態のときには、ロック部８２ｍと被ロック部８６ｍとが係合していることにより本体部分８２に対してスライドブラケット８４やキャスターブラケット８６がスライドすることが防止されるようになる。
【０１０６】
また、本実施の形態の硬貨処理装置１０においては、側方から見て図２５に示すような構成の台車８０ｂを用いてもよい。このような変形例に係る台車８０ｂでは、水平面に沿って延びる平板部材１１２に車輪８８、９０が取り付けられているとともに、鉛直方向に延びる一対の平板部材１１０（図２５では一対の平板部材１１０のうち一方の平板部材１１０のみを図示）によりこの平板部材１１２が本体部分８２の下部に取り付けられている。また、本体部分８２と平板部材１１２との間には、当該平板部材１１２上で金箱２３の並ぶ方向（すなわち、筐体１１の奥行き方向）に沿ってスライド可能なスライド部材１１４が設けられており、本体部分８２に載置された金箱２３の重量はこのスライド部材１１４により支えられるようになっている。また、このような台車８０ｂを筐体１１の内部に押し込む際に、当該筐体１１の収容領域１１ａに設けられた底板１１ｂがスライド部材１１４に当接することにより当該スライド部材１１４は図２５の矢印に示すように本体部分８２に対してスライドして一対の平板部材１１０の間に入り込むようになる。
【０１０７】
また、本実施の形態の硬貨処理装置１０においては、側方から見て図２６に示すような構成の台車８０ｃを用いてもよい。このような変形例に係る台車８０ｃでは、本体部分８２に対して位置固定で設けられた位置固定部材１２０に位置固定車輪８８が取り付けられるとともに、本体部分８２に対して金箱２３の並ぶ方向（すなわち、筐体１１の奥行き方向）に沿ってスライド自在となるよう設けられたスライド部材１２２に位置可変車輪９０が取り付けられている。そして、このような台車８０ｃを筐体１１の内部に収容する際に、ロック解除ガイド９４がスライド部材１２２の先端部分に当接することにより本体部分８２に対してスライド部材１２２が金箱２３の並ぶ方向に沿って図２６における左側に移動し、位置可変車輪９０と位置固定車輪８８との間の距離が小さくなる。
【０１０８】
また、本実施の形態の硬貨処理装置１０においては、側方から見て図２７（ａ）（ｂ）に示すような構成の台車８０ｄを用いてもよい。ここで、図２７（ａ）は、変形例に係る台車８０ｄを前方から見たときの構成を示す側面図であり、図２７（ｂ）は、変形例に係る台車８０ｄを下方から見たときの構成を示す底面図である。このような変形例に係る台車８０ｄでは、位置可変車輪９０は軸９０ｐを中心として本体部分８２の内部に倒れることができるようになっている。また、このような変形例に係る台車８０ｄの本体部分８２の底面には、軸９０ｐを中心として倒れた位置可変車輪９０が収容される収容スペース８２ｎが設けられている。このような変形例に係る台車８０ｄによれば、筐体１１の内部に台車８０ｄを収容した際に、位置可変車輪９０が倒れた状態で当該台車８０ｄが底板１１ｂ上に載置されるようになる。
【０１０９】
また、本発明による貨幣処理装置は、上述したような硬貨処理装置１０に限定されることはない。本発明による貨幣処理装置として、紙幣の処理を行う紙幣処理装置や、紙幣以外の小切手等の紙葉類の処理を行う紙葉類処理装置を用いてもよい。この場合でも、紙幣等の紙葉類を収納する上部収納部およびこの上部収納部から紙葉類が送られて収納される下部収納部がそれぞれ筐体に収容されたときに上部収納部と位置固定案内部との間の隙間および下部収納部と位置固定案内部との間の隙間をそれぞれ詰める隙間調整機構が設けられるようになる。この場合には、上部収納部および下部収納部がそれぞれ筐体に収容されたときに、隙間調整機構によって上部収納部と位置固定案内部との間の隙間および下部収納部と位置固定案内部との間の隙間がそれぞれ自動的に詰められるため、上部収納部の下縁と下部収納部の上縁との間の隙間を詰める際の作業負担を軽減しながら、上部収納部から下部収納部に紙葉類が送られる際に上部収納部の下縁と下部収納部の上縁との間の隙間に紙葉類が挟まってしまったりこの隙間から紙葉類が外部に飛び出してしまったりすることを十分に防止することができる。
【符号の説明】
【０１１０】
１０    硬貨処理装置
１１    筐体
１１ａ  収容領域
１１ｂ  底板
１２    入金口
１２ａ  シャッタ
１３    出金箱
１４    返却箱
１５    入金リジェクト箱
１６    収納繰出部ユニット
２０    入金部
２１    一時保留部（上部収納部）
２１ａ  一括一時保留部
２１ｂ  傾斜部
２１ｃ  仕切部材
２２    収納繰出部
２２ａ  一括収納箱
２３    金箱（下部収納部）
２３ａ  一括金箱
２４    横搬送部
２５    縦搬送部
２６    出金機構
３０    供給部
３１    繰出部
３２    入金搬送部
３３    識別部
３４    選別部
３８    保留枠
４０    位置固定案内部
４０ａ  上端部
４０ｍ  内部空間
４０ｐ  ピン部材
４０ｒ  受け部材
４２    第１の可動案内部
４２ａ  仕切部材（第１の仕切部材）
４２ｂ  空洞部
４２ｃ  傾斜面
４２ｄ  傾斜面
４２ｅ  仕切板
４２ｆ  空洞部
４２ｍ  領域
４２ｐ  ピン部材
４４    第２の可動案内部
４４ａ  仕切部材（第２の仕切部材）
４４ｂ  上端部
４４ｃ  溝
４４ｄ  傾斜面
４４ｍ  領域
４４ｒ  受け部材
４６    バネ
４８    バネ
５０    繰出機構
５５    出金搬送部
６０    出金一時保留部
６１    判別部
６２    リフト
６３    出金リジェクト箱
８０、８０ａ〜８０ｄ    台車
８２    本体部分
８２ａ  把持部分
８２ｍ  ロック部
８２ｎ  収容スペース
８３    補強板
８３ａ  スライド用長穴
８３ｃ  ロック用穴
８４    スライドブラケット
８４ａ  ピン部材
８４ｂ  回転用穴
８６    キャスターブラケット
８６ａ  軸
８６ｂ  傾斜部
８６ｃ  ロックピン
８６ｄ  磁石
８６ｍ  被ロック部
８８    位置固定車輪
９０    位置可変車輪
９０ｐ  軸
９４    ロック解除ガイド
９５    磁石
９６、９７、９８    回転体
１００  台車
１０２  位置固定車輪
１１０  平板部材
１１２  平板部材
１１４  スライド部材
１２０  位置固定部材
１２２  スライド部材
【図１】
0006532654.tif 000002
【図２】
0006532654.tif 000003
【図３】
0006532654.tif 000004
【図４】
0006532654.tif 000005
【図５】
0006532654.tif 000006
【図６】
0006532654.tif 000007
【図７】
0006532654.tif 000008
【図８】
0006532654.tif 000009
【図９】
0006532654.tif 000010
【図１０】
0006532654.tif 000011
【図１１】
0006532654.tif 000012
【図１２】
0006532654.tif 000013
【図１３】
0006532654.tif 000014
【図１４】
0006532654.tif 000015
【図１５】
0006532654.tif 000016
【図１６】
0006532654.tif 000017
【図１７】
0006532654.tif 000018
【図１８】
0006532654.tif 000019
【図１９】
0006532654.tif 000020
【図２０】
0006532654.tif 000021
【図２１】
0006532654.tif 000022
【図２２】
0006532654.tif 000023
【図２３】
0006532654.tif 000024
【図２４】
0006532654.tif 000025
【図２５】
0006532654.tif 000026
【図２６】
0006532654.tif 000027
【図２７】
0006532654.tif 000028